(57)【要約】  容器のためのキャップアセンブリが、容器の首部に固定された内側スリーブと、内側スリーブに調整可能に固定された外側キャップとを有する。外側キャップは、外側キャップの底部と容器の頂部との間の間隙を最小化又は除去することができるように、内側スリーブに対して下方へ調整することができる。【選択図】図１
2020524642.tif 000002
【特許請求の範囲】
【請求項１】
本体を有する容器であって、前記容器から上方へ首部が延びており、前記首部が径方向外向き面を有し、前記首部が前記本体より細くなっていて前記首部より下に肩部が画定される、容器と、
上端を有する内側スリーブ及び下端へ延びる垂下した円周状の側壁を有するキャップアセンブリであって、前記側壁が、下方へ開いている空洞を画定し、前記空洞が、前記容器の前記首部を受け入れるように寸法設定され、前記側壁の内側面が、前記内側スリーブを前記容器の前記首部の外向き面上に固定するように構成され、
前記内側スリーブの外面が、前記上端から前記下端へ配置されたラチェット歯の配列を有し、前記ラチェット歯がそれぞれ、垂直軸に対して横断方向に配置される、キャップアセンブリと、
前記内側スリーブに固定された外側キャップであって、前記外側キャップが、頂端壁と、前記頂端壁から底端へ垂下する円周状のスカート壁とを有し、前記スカート壁が、下方へ開いている空隙を画定し、前記空隙が、前記内側スリーブを受け入れるように寸法設定され、前記スカート壁の内表面が、前記外側キャップが前記内側スリーブ上の最終位置へ押し込まれたときに前記ラチェット歯の前記配列に係合するように構成された少なくとも一つのつめを有し、前記外側キャップが、前記スカート壁の前記底端と前記容器の前記肩部との間の間隙が実質的に最小化され又は閉じられるように、前記ラチェット歯の前記配列に沿って下方へ配置可能である外側キャップと
を備える容器及びキャップアセンブリ。
【請求項２】
前記内側スリーブの前記上端を閉鎖する水平壁をさらに備える、請求項1に記載の容器及びキャップアセンブリ。
【請求項３】
前記容器の前記首部が、摺動干渉嵌め式係合、スナップ嵌め式係合、及びねじ式係合のうちの一つによって、前記内側スリーブの前記空洞内に受け入れられる、請求項1に記載の容器及びキャップアセンブリ。
【請求項４】
前記容器の前記首部上で前記首部と前記内側スリーブとの間に固定されたカラーをさらに備える請求項1に記載の容器及びキャップアセンブリ。
【請求項５】
前記内側スリーブの前記外面が、前記側壁の表面である、請求項1に記載の容器及びキャップアセンブリ。
【請求項６】
前記内側スリーブが、径方向の壁と、垂直に向けられた円周状の2次壁とをさらに備え、前記内側スリーブの前記外面が、前記2次壁の外向き面であり、前記ラチェット歯の前記配列が、前記2次壁上に配置される、請求項1に記載の容器及びキャップアセンブリ。
【請求項７】
前記内側スリーブの内面及び前記首部の前記外向き面のうちの一方のスナップビードと、前記内側スリーブの前記内面及び前記首部の前記外向き面のうちの他方の協働的に係合するスナップ溝とをさらに備える、請求項1に記載の容器及びキャップアセンブリ。
【請求項８】
前記内側スリーブの内面の内ねじと、前記首部の前記外向き面の協働的に係合する外ねじとをさらに備える、請求項1に記載の容器及びキャップアセンブリ。
【請求項９】
容器のためのキャップアセンブリであって、前記容器が、円周スナップ溝を備えた首部を有し、前記容器が、カラーより下に肩部をさらに有し、前記キャップアセンブリが、
内面及び外面並びに上端及び下端を有する垂直な内側スリーブであり、前記内側スリーブが、前記首部の周りにぴったりと合うように寸法設定され、前記内面が、前記首部のスナップ溝内にスナップ嵌め式係合で選択的に受け入れられるように寸法設定されたスナップビードを有する、垂直な内側スリーブと、
頂端壁、及び前記頂端壁から垂下する円周状のスカート壁を備える外側キャップであり、前記スカート壁が、底端を有し、前記スカート壁が、前記内側スリーブの周りにぴったり受け入れられるように寸法設定される、外側キャップとを備え、
前記内側スリーブの前記外面又は前記スカート壁の内表面のうちの少なくとも一つが、ラチェット歯の垂直な配列を有し、前記内側スリーブの前記外面又は前記スカート壁の前記内表面のうちの他方が、少なくとも一つのつめ歯を有し、
前記キャップアセンブリが前記容器の前記首部にスナップ嵌め式で取り付けられる前に、前記少なくとも一つのつめ歯が前記配列の上部で前記ラチェット歯の前記配列に係合することによって、前記外側キャップが、前記内側スリーブ上に第1の上昇位置で最初に固定され、前記スナップビードが前記首部の前記スナップ溝内にスナップ嵌め式係合で受け入れられたことによって、前記キャップアセンブリが前記首部に設置された後、前記外側キャップの前記スカート壁の前記底端と前記容器の前記肩部との間で垂直に測定される間隙が実質的に閉じられるように、前記少なくとも一つのつめ歯が前記配列の下部で前記ラチェット歯の前記配列に係合することによって、前記外側キャップが前記内側スリーブ上の第2の下部位置へ下方に可動及び固定可能になる、キャップアセンブリ。
【発明の詳細な説明】
【技術分野】
【０００１】
本発明は、プルオフ式、スナップ嵌め式、又はねじ式のキャップを備えた容器に関する。詳細には、本発明は、内側及び外側構成要素を有し、審美的な目的で容器に対する外側構成要素の調整を可能にするキャップを備えた容器を対象とする。
【背景技術】
【０００２】
キャップ及び容器の組合せの形状は滑らかになるように選択することができ、審美的な考慮が機能的な面に先行することが多い。消費者にとってより豪華で形が整った魅力あるほぼ継ぎ目のない外観を提供するために、表面は平滑であり、容器とキャップとの間の間隙は好ましくは最小化される。そのような設計を作製及び使用することは、難題をもたらす可能性がある。たとえば、構成要素の精密なはめ合せを実現することは、プラスチック及びガラスなどの材料に対する製造公差の違いのため、困難になる可能性がある。ガラスから作製された容器は、成形及び材料公差の考慮のため、プラスチック構成要素より仕様に関して相当に大きい変動性を有することがある。したがって、プラスチックから作製されたキャップアセンブリをガラス容器に取り付けるとき、構成要素のぴったりと閉じたはめ合いを実現することは困難な可能性がある。
【０００３】
したがって、組立て中に構成要素の精密なはめ合いを可能にする容器及びキャップの組合せが必要とされている。
【発明の概要】
【発明が解決しようとする課題】
【０００４】
本発明の目的は、異なる材料の構成要素間の厳密な公差で容易に組み立てられる容器及びキャップの組合せを提供することである。
【課題を解決するための手段】
【０００５】
従来技術の問題を克服し、本発明の目的を達成するために、容器上で組立て中に互いに対して調整可能な内側及び外側構成要素を備えたキャップアセンブリが提供される。まず、内側構成要素が容器に取り付けられる。次いで、外側構成要素の底部と容器の頂面又は肩部との間に最小間隙が実現されるまで、外側構成要素が容器上の内側構成要素へ押し込まれる。
【０００６】
本発明は、外側キャップを容器上にぴったりと配置することを可能にし、外側キャップの底部は常に容器の肩部に極めて接近している。このようにして、キャップアセンブリと容器との間に生じうるあらゆる審美的又は機能的な間隙が最小化又は除去される。
【図面の簡単な説明】
【０００７】
【図１】本発明の組み合わせた容器及びキャップアセンブリの正面部分断面図である。
【図２】キャップアセンブリが容器から部分的に取り外されている、図1に示す組み合わせた容器及びキャップアセンブリの正面部分断面図である。
【図３】図1の組み合わせた容器及びキャップアセンブリの分解図である。
【図４】組み合わせた容器及びキャップアセンブリの第2の実施形態の正面部分断面図である。
【図５】キャップアセンブリが容器から部分的に取り外されている、図4に示す組み合わせた容器及びキャップアセンブリの正面部分断面図である。
【図６】図4の組み合わせた容器及びキャップアセンブリの分解図である。
【図７】組み合わせた容器及びキャップアセンブリの第3の実施形態の正面部分断面図である。
【図８】キャップアセンブリが容器から部分的に取り外されている、図7に示す組み合わせた容器及びキャップアセンブリの正面部分断面図である。
【図９】図7の組み合わせた容器及びキャップアセンブリの分解図である。
【発明を実施するための形態】
【０００８】
図1〜図3を次に参照すると、組み合わせた容器及びキャップアセンブリの第1の実施形態が、全体として参照番号1で示されており、本体4を有する容器2を備え、本体4から上方へ首部6が延びている。首部6が本体4より細くなっていて首部6より下に少なくとも一つの肩部8が画定される。容器2は、分注ボタン12を有することができ、分注ボタン12は、容器2から製品を分注するためのノズル14を備える。
【０００９】
首部6を閉鎖するように、キャップアセンブリ10が設けられる。キャップアセンブリは、上端18を備えた内側スリーブ16と、下端22へ延びる垂下した円周状の側壁20とを有する。側壁20は、下方へ開いている空洞24を画定する。空洞24は、容器2の首部6を受け入れるように寸法設定される。側壁18の内側面26は、内側スリーブ16を容器2の首部6に選択的且つ取外し可能に固定するように構成される。内側面26はスナップビード28を有することができ、スナップビード28は、首部6の外向き面70のスナップ溝30に選択的且つ協働的に係合する。別法として、スナップビードが首部に設けられていてもよく、スナップ溝が内側スリーブに設けられていてもよい。首部及び内側スリーブは、別法として、それぞれの内ねじ及び外ねじによって係合することができる(後述するとともに図4〜図6に示す)。
【００１０】
内側スリーブ16の外面36は、上端18から下端20へ配置されたラチェット歯38の配列を有する。配列内のラチェット歯はそれぞれ、キャップアセンブリ10を通る垂直軸40に対して横断方向に配置される。
【００１１】
内側スリーブ16に外側キャップ42が固定される。外側キャップ42は、頂端壁44と、頂端壁44から底端48へ垂下する円周状のスカート壁46とを有する。スカート壁は、下方へ開いている空隙50を画定し、空隙50は、内側スリーブ16を受け入れるように寸法設定される。スカート壁の内表面52は、外側キャップ42が内側スリーブ16上の最終位置へ押し込まれたときにラチェット歯38の配列に係合するように構成された少なくとも一つのつめ54を有する。外側キャップ42は、スカート壁46の底端48と容器2の肩部8との間の間隙56が実質的に最小化され又は閉じられるように、ラチェット歯38の配列に沿って下方へ配置可能である。
【００１２】
内側スリーブ16の上端18には、内側スリーブを閉鎖して内側キャップを形成するように、水平壁62を設けることができる。上述したように、容器2の首部6は、摺動干渉嵌め式係合、スナップ嵌め式係合(図1〜図3及び図7〜図9)、又はねじ式係合(図4〜図6)のうちの一つによって、内側スリーブ16の空洞24内に受け入れられる。首部6には、首部6と内側スリーブ16との間にカラー64を固定することができる。この第1の実施形態では、内側スリーブの外面36は、側壁20上に直接位置する。
【００１３】
キャップアセンブリは、少なくとも二つの異なる方法で、容器の首部に取り付けることができる。第1の手法では、首部に内側スリーブが取り付けられ、次に内側スリーブに外側キャップが取り付けられ、容器の肩部に対して外側キャップの底部の適当な位置に調整される。別法として好ましくは、外側キャップは、内側スリーブ上の第1の一時上昇位置に一時的に取り付けられる。外側キャップが内側スリーブ上の第1の一時上昇位置に置かれた後、キャップアセンブリ(外側キャップ及び内側スリーブ)が容器の首部に取り付けられる。摺動式、スナップ嵌め式、又はねじ式の係合によって、内側スリーブが首部に固定された後、外側キャップの底部と容器の肩部との間の間隙が最小化又は閉じられるように、外側キャップを内側スリーブ上の第2の下部最終位置へ下方に調整することができる。
【００１４】
図4〜図6を次に参照すると、組み合わせた容器及びキャップアセンブリの第2の実施形態が、全体として参照番号101で示されており、本体104を有する容器102を備え、本体104から上方へ首部106が延びている。首部106は本体104より細くなっていて首部106より下に少なくとも一つの肩部108が画定される。容器102は、分注ボタン112を有することができ、分注ボタン112は、容器102から製品を分注するためのノズル114を備える。
【００１５】
首部106を閉鎖するように、キャップアセンブリ110が設けられる。キャップアセンブリは、上端118を備えた内側スリーブ116と、下端122へ延びる垂下した円周状の側壁120とを有する。側壁120は、下方へ開いている空洞124を画定する。空洞124は、容器102の首部106を受け入れるように寸法設定される。側壁118の内側面126が、内側スリーブ116を容器102の首部106に選択的且つ取外し可能に固定するように構成される。内側面126は内ねじ158を有し、内ねじ158は、首部106の外向き面170の外ねじ160に選択的且つ協働的に係合する。
【００１６】
内側スリーブ116の外面136は、上端118から下端120へ配置されたラチェット歯138の配列を有する。配列内のラチェット歯はそれぞれ、キャップアセンブリ110を通る垂直軸140に対して横断方向に配置される。
【００１７】
内側スリーブ116に外側キャップ142が固定される。外側キャップ142は、頂端壁144と、頂端壁144から底端148へ垂下する円周状のスカート壁146とを有する。スカート壁は、下方へ開いている空隙150を画定し、空隙150は、内側スリーブ116を受け入れるように寸法設定される。スカート壁の内表面152は、外側キャップ142が内側スリーブ116上の最終位置へ押し込まれたときにラチェット歯138の配列に係合するように構成された少なくとも一つのつめ154を有する。外側キャップ142は、スカート壁146の底端148と容器102の肩部108との間の間隙156が実質的に最小化され又は閉じられるように、ラチェット歯138の配列に沿って下方へ配置可能である。
【００１８】
内側スリーブ116の上端118には、内側スリーブを閉鎖して内側キャップを形成するように、水平壁162を設けることができる。上述したように、容器102の首部106は、摺動干渉嵌め式係合、スナップ嵌め式係合(図1〜図3及び図7〜図9)、又はねじ式係合(図4〜図6)のうちの一つによって、内側スリーブ116の空洞124内に受け入れられる。この第2の実施形態では、内側スリーブの外面136は、側壁120上に直接位置している。
【００１９】
図7〜図9を次に参照すると、組み合わせた容器及びキャップアセンブリの第3の実施形態が、全体として参照番号201で示されており、本体204を有する容器202を備え、本体204から上方へ首部206が延びている。首部206は本体204より細くなっていて首部206より下に少なくとも一つの肩部208が画定される。容器202は、分注ボタン212を有することができ、分注ボタン212は、容器202から製品を分注するためのノズル214を備える。
【００２０】
首部206を閉鎖するように、キャップアセンブリ210が設けられる。キャップアセンブリは、上端218を備えた内側スリーブ216と、下端222へ延びる垂下した円周状の側壁220とを有する。側壁220は、下方へ開いている空洞224を画定する。空洞224は、容器202の首部206を受け入れるように寸法設定される。側壁218の内側面226が、内側スリーブ216を容器202の首部206に選択的且つ取外し可能に固定するように構成される。内側面226はスナップビード228を有し、スナップビード228は、首部206の外向き面270のスナップ溝230に選択的且つ協働的に係合する。別法として、スナップビードが首部に設けられていてもよく、スナップ溝が内側スリーブに設けられていてもよい。
【００２１】
内側スリーブ216の外面236は、上端218から下端220へ配置されたラチェット歯238の配列を有する。配列内のラチェット歯はそれぞれ、キャップアセンブリ210を通る垂直軸240に対して横断方向に配置される。
【００２２】
内側スリーブ216に外側キャップ242が固定される。外側キャップ242は、頂端壁244と、頂端壁244から底端248へ垂下する円周状のスカート壁246とを有する。スカート壁は、下方へ開いている空隙250を画定し、空隙250は、内側スリーブ216を受け入れるように寸法設定される。スカート壁の内表面252は、外側キャップ242が内側スリーブ216上の最終位置へ押し込まれたときにラチェット歯238の配列に係合するように構成された少なくとも一つのつめ254を有する。外側キャップ242は、スカート壁246の底端248と容器202の肩部208との間の間隙256が実質的に最小化され又は閉じられるように、ラチェット歯238の配列に沿って下方へ配置可能である。
【００２３】
内側スリーブ216の上端218は、内側スリーブを閉鎖して内側キャップを形成するように、水平壁262を設けることができる。
【００２４】
上述したように、容器202の首部206は、摺動干渉嵌め式係合、スナップ嵌め式係合、又はねじ式係合のうちの一つによって、内側スリーブ216の空洞224内に受け入れられる(図4〜図6に示す第2の実施形態と同様)。
【００２５】
この第3の実施形態では、内側スリーブ216は、側壁220から径方向外方へ延びる径方向水平壁266と、垂直に向けられた円周状の2次壁268とをさらに備える。この第3の実施形態では、内側スリーブ216の外面236は、2次壁268の外向き面である。ラチェット歯238の配列は、2次壁上に配置される。
【００２６】
容器2、102、202は、たとえばガラス、金属、又はプラスチックなどの任意の好適な材料から作製することができる。カラー64、164、264、及びキャップアセンブリ10、110、210の構成要素は、たとえばポリプロピレン、アクリロニトリルブタジエンスチレン、又は他の好適な材料などの好適なプラスチック材料から作製することができる。好ましくは、内側キャップアセンブリ構成要素は、比較的柔軟なプラスチック材料から作製され、外側構成要素は、比較的硬質のプラスチック材料から作製される。
【００２７】
ラチェット及びつめのアセンブリは、好ましくは、一方向にのみ動作する(「ジップタイ」と同様)。外側キャップを内側スリーブに対して下方へ調整して、キャップアセンブリと容器との間の間隙を閉鎖し、外側キャップが内側スリーブから取り外され又は分離されるのを防止することができるが、外側キャップは、内側スリーブに対してラチェット配列上で上方へは調整されない。
【００２８】
本発明の利点は、ラチェット式キャップアセンブリ構成要素により、外側キャップをはまり合う構成要素のより厳密な公差に調整することが可能になることである。不体裁な間隙が低減され、最小化され、さらには除去することができる。接着材は必要とされない。このアセンブリは、円形又は矩形のいずれの横断面の容器とも使用することができる。
【００２９】
以下の特許請求の範囲の範囲から逸脱することなく、様々な部分の特有の形態及び構造に様々な修正及び変更を加えることが理解される。
【図１】
2020524642.tif 000003
【図２】
2020524642.tif 000004
【図３】
2020524642.tif 000005
【図４】
2020524642.tif 000006
【図５】
2020524642.tif 000007
【図６】
2020524642.tif 000008
【図７】
2020524642.tif 000009
【図８】
2020524642.tif 000010
【図９】
2020524642.tif 000011
【手続補正書】
【提出日】令和2年2月5日(2020.2.5)
【手続補正１】
【補正対象書類名】明細書
【補正対象項目名】０００９
【補正方法】変更
【補正の内容】
【０００９】
首部6を閉鎖するように、キャップアセンブリ10が設けられる。キャップアセンブリは、上端18を備えた内側スリーブ16と、下端22へ延びる垂下した円周状の側壁20とを有する。側壁20は、下方へ開いている空洞24を画定する。空洞24は、容器2の首部6を受け入れるように寸法設定される。側壁20の内側面26は、内側スリーブ16を容器2の首部6に選択的且つ取外し可能に固定するように構成される。内側面26はスナップビード28を有することができ、スナップビード28は、首部6の外向き面70のスナップ溝30に選択的且つ協働的に係合する。別法として、スナップビードが首部に設けられていてもよく、スナップ溝が内側スリーブに設けられていてもよい。首部及び内側スリーブは、別法として、それぞれの内ねじ及び外ねじによって係合することができる(後述するとともに図4〜図6に示す)。
【手続補正２】
【補正対象書類名】明細書
【補正対象項目名】００１０
【補正方法】変更
【補正の内容】
【００１０】
内側スリーブ16の外面36は、上端18から下端22へ配置されたラチェット歯38の配列を有する。配列内のラチェット歯はそれぞれ、キャップアセンブリ10を通る垂直軸40に対して横断方向に配置される。
【手続補正３】
【補正対象書類名】明細書
【補正対象項目名】００１５
【補正方法】変更
【補正の内容】
【００１５】
首部106を閉鎖するように、キャップアセンブリ110が設けられる。キャップアセンブリは、上端118を備えた内側スリーブ116と、下端122へ延びる垂下した円周状の側壁120とを有する。側壁120は、下方へ開いている空洞124を画定する。空洞124は、容器102の首部106を受け入れるように寸法設定される。側壁120の内側面126が、内側スリーブ116を容器102の首部106に選択的且つ取外し可能に固定するように構成される。内側面126は内ねじ158を有し、内ねじ158は、首部106の外向き面170の外ねじ160に選択的且つ協働的に係合する。
【手続補正４】
【補正対象書類名】明細書
【補正対象項目名】００１６
【補正方法】変更
【補正の内容】
【００１６】
内側スリーブ116の外面136は、上端118から下端122へ配置されたラチェット歯138の配列を有する。配列内のラチェット歯はそれぞれ、キャップアセンブリ110を通る垂直軸140に対して横断方向に配置される。
【手続補正５】
【補正対象書類名】明細書
【補正対象項目名】００２０
【補正方法】変更
【補正の内容】
【００２０】
首部206を閉鎖するように、キャップアセンブリ210が設けられる。キャップアセンブリは、上端218を備えた内側スリーブ216と、下端222へ延びる垂下した円周状の側壁220とを有する。側壁220は、下方へ開いている空洞224を画定する。空洞224は、容器202の首部206を受け入れるように寸法設定される。側壁220の内側面226が、内側スリーブ216を容器202の首部206に選択的且つ取外し可能に固定するように構成される。内側面226はスナップビード228を有し、スナップビード228は、首部206の外向き面270のスナップ溝230に選択的且つ協働的に係合する。別法として、スナップビードが首部に設けられていてもよく、スナップ溝が内側スリーブに設けられていてもよい。
【手続補正６】
【補正対象書類名】明細書
【補正対象項目名】００２１
【補正方法】変更
【補正の内容】
【００２１】
内側スリーブ216の外面236は、ラチェット歯238の配列を有する。配列内のラチェット歯はそれぞれ、キャップアセンブリ210を通る垂直軸240に対して横断方向に配置される。
【手続補正７】
【補正対象書類名】図面
【補正対象項目名】全図
【補正方法】変更
【補正の内容】
【図１】
2020524642.tif 000012
【図２】
2020524642.tif 000013
【図３】
2020524642.tif 000014
【図４】
2020524642.tif 000015
【図５】
2020524642.tif 000016
【図６】
2020524642.tif 000017
【図７】
2020524642.tif 000018
【図８】
2020524642.tif 000019
【図９】
2020524642.tif 000020
【国際調査報告】
2020524642.tif 000021
2020524642.tif 000022